(57)【特許請求の範囲】
【請求項１】
折巻収納ユニット（１）は、植栽ユニットであり、可とう性を有する略シート状の素材から成る１以上の構成シート（１０）によって構成される収納ユニットであって、中空の中空領域である中空収容部（１４）を備え、前記中空収容部（１４）は、収容物が収容される収容部であり、収納開口（１１）を備え、前記収納開口（１１）は、収納容器部（１２）の外から前記中空収容部（１４）の収容部内へ通じる開口部であり、前記収納開口（１１）は、前記中空収容部（１４）の上方部に備えられ、前記収納容器部（１２）は、２以上の前記中空収容部（１４）が、曲折または回動可能な曲折連結部（１３）を介して、横方向、つまり略水平方向に、一体に、設けられているか、または、２つ以上の前記中空収容部（１４）が、着脱して連結可能な曲折連結部（１３）を介して連なることが可能であり、 
前記曲折連結部（１３）は、収容物が収容された状態でも曲折または回動可能で、 
連結された前記収納容器部（１２）が、それぞれ台車（７０）上に設けられて、前記折巻収納ユニット（１）が自立可能であり、 
前記収納容器部（１２）に、培養基材（３４）を収容し、植物（S）の根（３６）を張ることが可能で、植物（S）を植栽する植栽容器であることを特徴とする植栽ユニット（１）。
【請求項２】
少なくとも１つ以上の前記収納容器部（１２）が、台車（７０）上に設けられていない単独で自立可能な収納容器部（１２）、または支持材（１０２）に係止されたことを特徴とする請求項１に記載の植栽ユニット（１）。
【請求項３】
前記収納容器部（１２）の内、少なくとも１以上の収納容器部（１２）の三方向以上に、収納容器部（１２）を連結して設けることを特徴とする請求項１から請求項２のいずれかに記載の植栽ユニット（１）。
【請求項４】
２つの前記収納容器部（１２）の着脱可能な曲折連結部（１３）と着脱可能な曲折連結部（１３）の間に、可撓橋架材（６０）として、可撓性のシートを係止し、橋架して設けたことを特徴とする請求項１から請求項３のいずれかに記載の植栽ユニット（１）。
【請求項５】
前記折巻収納ユニット（１）が、配置保持材（１００）を備え、前記配置保持材（１００）は連結された前記収納容器部（１２）に橋架するか、または、曲折連結部（１３）に設けられることによって、前記収納容器部（１２）の位置関係を、保持することを特徴とする請求項１から請求項４のいずれかに記載の植栽ユニット（１）。
【請求項６】
前記収納容器部（１２）、または曲折連結部（１３）に、配置材保持部（１０１）を備え、該配置材保持部（１０１）は、配置保持材（１００）を係止可能な部分であることを特徴とする請求項５に記載の植栽ユニット（１）。
【請求項７】
前記曲折連結部（１３）は、可撓性シート、または、可撓性部材であることを特徴とする請求項１から請求項６のいずれかに記載の植栽ユニット（１）。
【請求項８】
前記曲折連結部（１３）が、シート係止部（２０）であり、前記シート係止部（２０）は、前記中空収容部（１４）を、対面することによって構成する対面する構成シート（１０）を、互いに係止することを特徴とする請求項１から請求項７のいずれかに記載の植栽ユニット（１）。
【請求項９】
前記着脱可能な曲折連結部（１３）が、ファスナー（１２６）または面ファスナー（３２）であるか、または、ファスナー（１２６）か面ファスナー（３２）を備えたことを特徴とする請求項１から請求項８のいずれかに記載の植栽ユニット（１）。
【請求項１０】
前記収納容器部（１２）の、上下方向に備えられた棒である、座屈防止材を備えたことを特徴とする請求項１から請求項９のいずれかに記載の植栽ユニット（１）。
【請求項１１】
前記収納容器部（１２）に、側面から植栽されることが可能であることを特徴とする請求項1から請求項１０のいずれかに記載の植栽ユニット（１）。
【発明の詳細な説明】
【技術分野】
【０００１】
本発明は、主として省スペースな安全性の高い収納ユニットに関し、省スペースで、配置の自由度の高い収納スペースの確保と、収納物が植物である場合の植物の育成及び緑化においては、省スペースに、安全で、配置を自由にレイアウトすることで斬新な装飾が可能であり、且つ、スペースを有効に活用した家庭菜園等を可能とした植栽ユニットに関する。
【背景技術】
【０００２】
従来から様々な収納方法や植栽方法が提案されている。しかしながら、より軽量で、安全で、移動が容易で、レイアウトが自由な収納ユニットや植栽ユニットが求められている。
【０００３】
また、壁や柱や柵の収納や緑花での装飾においても、落下等の危険を未然に防止し、より、安全で簡便な収納ユニットや植栽ユニットが求められている。
【０００４】
また、植物を店頭等の装飾に用いたり家庭用のガーデニングとして楽しむ方が増えてきており、係る装飾には花壇、プランター、ハンギング等を利用した方法が用いられている。しかしながら、ワイヤー等で吊るすタイプのハンギング等では重量に制限があり、植物の数や種類が限られてしまうという問題や、鉢やプランター等による装飾ではアレンジやバリエーションの範囲に限界があるという問題がある。
【０００５】
また、冬場等、植物があまり元気でない時期でも、植栽容器が違和感なく、また、自由にデザイン可能で、壁など周囲のデザインに合わせた色や模様、形状を自由にアレンジ可能な壁面でも植栽可能な植栽容器が求められている。
【０００６】
また、必要でない時は、手軽に撤去可能な壁面でも植栽可能な植栽容器が求められている。
【０００７】
更に、花を用いて広範に装飾する場合では多数の鉢等への水やりに負担も大きくなるという問題もある。そこで、小規模な装飾範囲から大規模な装飾範囲まで自在に対応でき、更にあらゆるレイアウトや創作者の自由なアレンジに対応できる装飾用具が望まれているといえる。特にショーウィンドウや店舗やオフィスのパーテーションなどの装飾などでは個性溢れるお洒落な植物を用いた装飾を容易に施す技術が求められているといえる。
【０００８】
そこで、従来からも種々の技術が提案されている。例えば、特許文献１には、発明の名称を「花卉ハンギングバッグおよび花卉ハンギングセット」とする技術が開示され、公知技術となっている（特許文献１参照）。具体的には「有底袋体の正面部複数箇所に十文字状切り込み等による窓部を形成してなり、これにより軒先に吊るしたり、あるいはトレリス等に懸け吊るして用いる場合に安定性がよく、しかも花卉類が成長するにつれて、露出していた袋体自体が次第に隠れるようになる結果、人工的感覚があまりなく自然性を維持することができ、また取り扱い性も格段に向上する」というものである。しかしながら、特許文献１に記載の発明は、側面の穴に植え込む為、大きな穴を設けると、土の流出が大きくなる為、根の大きな苗の植え込みは困難であり、また、側面の穴である為、種を直接植えることは困難であり、また、球根や宿根草なども、冬などに一度地上部が枯れて、春に目を出すような場合に、側面からの穴だけの本構成では、うまく芽が穴から出てきにくいという問題点があり、自由に植物を選べるとはいえず、また、枯れた後の植え替えにおいても、植え替えの際に、中の土が崩れて植え替えにくく、穴も大きくできないため、小さい穴からの作業を強いられ、手軽に植え替えられず、前記問題の解決には至っていない。
【０００９】
また、特許文献２には、発明の名称を「ユニット式ガーデニングラック」とする技術が開示され、公知技術となっている（特許文献２参照）。具体的には「自立接地用のベースを有しかつ長さが異なる複数種の帯板状ポールと、これら複数種の帯板状ポールの長さにそれぞれ等しい縦寸法を有しかつ横幅寸法は全て等しい大きさに形成された複数種のハンギング用格子パネルとを、帯板状ポールの両側辺部に形成した差込み溝及び係合部とハンギング用格子バネルの横幅方向の両側辺から突出させた突片との差込み係合手段を介して鉛直面内に形態の異なる複数種類の自立式ガーデニングラックを組立可能に構成している」というものである。しかしながら、特許文献２に記載の発明は、沢山の植物を自由に装飾できるが、大きな部材を組立て固定しなくてはならず、スペース確保の問題や装飾した個体を集合させているにすぎず、発明品本体による自由自在な装飾とは言えないため、前記問題の解決には至っていない。
【００１０】
なお、本発明者は、発明の名称を「パーテーション」とする技術で特許を出願中である。（特許文献３参照）具体的には「左右2方向の支持材には係止可能な支持係止部を備え、 前記左右の支持材の支持係止部に、収納容部が設けられ、 前記収納容部は、2重以上に設けられた可撓性シートが、少なくとも左右両方の略端部の一部または全部が互いに係止されて、収納開口を備え、 前記可撓性シートは、前記収納開口を構成する辺が、上下方向よりも長い長手方向である、収納でも植栽でも自由にすることを可能な構成のパーテーション」というものである。しかしながら、柵等に設けられた際の、高い位置に設置した場合の脱落の安全性の問題が残されているといえ、より安全で、シンプルな部材、構造を開発するといった課題も追及すべきといえる。
【００１１】
なお、本発明者は、発明の名称を「シート植栽容器ユニット及びその製造方法」とする技術で特許を受けている。（特許文献４参照）具体的には「収納ユニット可とう性を有する略シート状の素材から成る１以上の構成シート（１０）を、支持材（１０２）であるポールパーテーションを構成する支柱、または柵の並んだ支柱に橋架して支持材（１０２）間に前記構成シート(１０)が対面するように設け、前記橋架されて対面した前記構成シート（１０）に挟まれた空間を中空収納部（１１）とし、前記支持材（１０２）は、前記構成シート（１０）を保持する機能を有し、前記構成シート（１０）が橋架して設けられた前記対面した構成シート（１０）と構成シート（１０）の下部に底部を形成させる植栽容器。」というものである。しかしながら、より広い応用、活用範囲、使いやすさ、着脱の容易性、よりシンプルあるいは多彩な部材、構造、及び、より発展的な部材、構造とその製造方法を開発するといった課題も追及すべきといえる。
【先行技術文献】
【特許文献】
【００１２】
【特許文献１】特開２００１−１８６８１６号
【特許文献２】特開２０００−０４１８１４号
【特許文献３】特願２０１９−１４５８５２号
【特許文献４】特許第６５１８８６１号
【発明の概要】
【発明が解決しようとする課題】
【００１３】
より自由度が高く設置可能で、あるいは、より安全で、あるいはスペースを取らない収納ユニットあるいは植栽ユニットを提供する。
【課題を解決するための手段】
【００１４】
本発明に係る植栽容器は、可とう性を有する略シート状の素材から成る１以上の構成シート（１０）によって構成される収納ユニットであって、中空の中空領域である中空収容部（１４）を備え、前記中空収容部（１４）は、収容物が収容される収容部であり、収納開口（１１）を備え、前記収納開口（１１）は、前記収納容器部（１２）の外から前記中空収容部（１４）の収容部内へ通じる開口部であり、前記収納開口（１１）は、前記中空収容部（１４）の上方部に備えられ、前記収納容器部（１２）は、２以上の前記中空収容部（１４）が、曲折または回動可能な曲折連結部（１３）を介して、横方向、つまり略水平方向に、一体に、設けられているか、または、２つ以上の前記中空収容部（１４）が、着脱可能な曲折連結部（１３）を介して連なることが可能であり、 前記曲折連結部（１３）は、収容物が収容された状態でも曲折または回動可能である構成を採用する。
【００１５】
また、本発明は、前記曲折連結部（１３）は、着脱可能 な連結係止部（１５）であるか、または、連結係止部（１５）を備えた可撓性シート、または、連結係止部（１５）を備えた可撓性部材である構成を採用することもできる。
【００１６】
また、本発明は、前記曲折連結部（１３）は、２方向へ連結可能に、前記収納容器部（１２）に設けられ、前記２方向が、略L字状、または、くの字状に連結可能に設けられ、前記曲折連結部（１３）が、前記収納容器部（１２）のL字方向または、くの字方向に設けられているという構成を採用することもできる。
【００１７】
また、本発明は、前記曲折連結部（１３）は、３方向以上に連結可能に設けられているという構成を採用することもできる。
【００１８】
また、本発明は、前記曲折連結部（１３）は、ファスナー（１２６）または面ファスナー（３２）であるか、または、ファスナー（１２６）か面ファスナー（３２）を備えた構成を採用することもできる。
【００１９】
また、本発明は、前記曲折連結部（１３）は、蝶番であるか、または、蝶番を備え、前記蝶番が、棒を穴に挿入されることによって、前記棒が回動軸である構成を採用することもできる。
【００２０】
また、本発明は、着脱可能に前記収納容器部（１２）が連結された前記折巻収納ユニット（１）の内、少なくとも１つ以上の前記収納容器部（１２）が、単独で自立可能であるか、または支持材（１０２）に係止されて、前記折巻収納ユニット（１）が自立可能である構成を採用することもできる。
【００２１】
また、本発明は、着脱可能に連結された前記折巻収納ユニット（１）の収納容器部（１２）が、２方向以上から連結された他の収納容器部（１２）と、曲折連結部（１３）を、弛めず、張って設けられ、より安定的に自立可能である構成を採用することもできる。
【００２２】
また、本発明は、２つの前記収納容器部（１２）の連結係止部（１５）と連結係止部（１５）の間に、可撓橋架材（６０）として、可撓性のシートを係止し、橋架して設けた構成を採用することもできる。
【００２３】
また、本発明は、前記収納容器部（１２）が、開口部の開口形状を保持する開口保持材を備えた構成を採用することもできる。
【００２４】
また、本発明は、連結された前記収納容器部（１２）のそれぞれの１つずつが、それぞれ台車（７０）上に設けられた構成を採用することもできる。
【００２５】
また、本発明は、前記折巻収納ユニット（１）が、配置保持材（１００）を備え、前記配置保持材（１００）は連結された前記収納容器部（１２）に橋架するか、または、曲折連結部（１３）に設けられることによって、前記収納容器部（１２）の位置関係を、保持する構成を採用することもできる。
【００２６】
また、本発明は、前記配置保持材（１００）の曲折角度が、調整可能である構成を採用することもできる。
【００２７】
また、本発明は、前記折巻収納ユニット（１）は、前記収納容器部（１２）が、前記曲折連結部（１３）を介して、２つ備えられ、支柱（１６）に前記曲折連結部（１３）で折り曲げて巻いて、前記支柱（１６）を挟み、前記２つの収納容器部（１２）が対面可能に保持可能である曲折保持係止部（２１）を備えた構成を採用することもできる。
【００２８】
また、本発明は、前記折巻収納ユニット（１）が、対向保持部（３０）を備え、前記対向保持部（３０）は、前記折巻収納ユニット（１）が支柱（１６）に設けられた際に、支柱（１６）を挟んで設けられた前記曲折連結部（１３）の対向部に備えられ、前記対面した収納容器部（１２）を密着して保持する ことを可能とした構成を採用することもできる。
【００２９】
また、本発明は、前記折巻収納ユニット（１）は、前記曲折保持係止部（２１）によって、前記支柱（１６）に、前記曲折連結部（１３）の曲折連結部（１３）の略全体が密着可能であるか、または、前記曲折連結部（１３）の曲折方向に略平行に前記支柱（１６）に保持可能である構成を採用することもできる。
【００３０】
また、本発明は、前記曲折保持係止部（２１）が、前記折巻収納ユニット（１）を吊設する吊設部を兼ねた、曲折吊設部（２７）である構成を採用することもできる。
【００３１】
また、本発明は、前記曲折連結部（１３）が、シート係止部（２０）であり、前記シート係止部（２０）は、前記中空収容部（１４）を、対面することによって構成する対面する構成シート（１０）を、互いに係止する構成を採用することもできる。
【００３２】
また、本発明は、前記曲折連結部（１３）が、可撓性部材であり、前記中空収容部（１４）は、前記可撓性部材を挟んで設けられている構成を採用することもできる。
【００３３】
また、本発明は、前記曲折連結部（１３）が、前記連結された収納容器部（１２）を互いに分離可能に着脱可能である連結係止部（１５）であるか、あるいは連結係止部（１５）を備えた構成を採用することもできる。
【００３４】
また、本発明は、前記曲折連結部（１３）が曲折された際に対面する前記右容器部側と左容器部側が互いに着脱可能に係止する面ファスナー（３２）が、前記曲折保持係止部（２１）である構成を採用することもできる。
【００３５】
また、本発明は、前記曲折連結部（１３）が、保護材を備えた構成を採用することもできる。
【００３６】
また、本発明は、前記曲折連結部（１３）が、保護材を備えた構成を採用することもできる。
【００３７】
また、本発明は、前記曲折連結部（１３）は、長さの調節が可能である構成を採用することもできる。
【００３８】
また、本発明は、前記収納容器部（１２）の、上下方向に備えられた棒である、座屈防止材を備えた構成を採用することもできる。
【００３９】
また、本発明は、前記収納容器部（１２）が、水抜き穴（１７）を備えた構成を採用することもできる。
【００４０】
また、本発明は、前記収納容器部（１２）に、培養基材（３４）を収容し、植物（S）の根（３６）を張ることが可能で、植物（S）を植栽する植栽容器である構成を採用することもでき、また、前記収納容器部（１２）に、側面から植栽されることが可能である構成を採用することもできる。
【００４１】
また、本発明は、前記折巻収納ユニット（１）は、潅水した水の排水を処理する、水受け部（３５）を備え、前記水受け部（３５）は水誘導受け部であり、前記水誘導受け部は、前記折巻収納ユニット（１）に備えられた水抜き穴（１７）から排水された水を、前記曲折連結部（１３）側に誘導して排水させる構成を採用することもできる。
【００４２】
また、本発明は、前記収納容器部（１２）に、挟持して前記収納容器部（１２）を保持可能な、挟持係止具（１２５）を備え、該挟持係止具（１２５）の位置を上下に移動可能である構成を採用することもできる。
【００４３】
また、本発明は、前記水受け部（３５）を構成する素材が、可撓性素材である構成を採用することもできる。
【００４４】
また、本発明は、前記水誘導受け部が、２つの対向した前記収納容器部（１２）の中空収容部（１４）を跨ぐ様にして設けられ、前記水誘導受け部が、前記収納容器部（１２）が密着した状態の保持を補助可能であり、前記水誘導受け部が、前記収納容器部（１２）に一部または全部が着脱可能である構成を採用することもできる。
【００４５】
また、本発明は、折巻収納ユニット（１）を構成する収納容器部（１２）が、可とう性を有する略シート状の素材から成る１以上の構成シート（１０）によって構成される収納容器部（１２）であって、中空の中空領域である中空収容部（１４）を備え、前記中空収容部（１４）は、培養基材（３４）が収容される収容部であり、収納開口（１１）を備え、前記収納開口（１１）は、前記収納容器部（１２）の外から前記中空収容部（１４）の収容部内に植え込む開口部であり、前記収納開口（１１）は、前記中空収容部（１４）の上方部または前記中空収容部（１４）の側面に備えられ、前記収納容器部（１２）は、２以上の前記中空収容部（１４）が、横方向、つまり略水平方向に、他の収納容器部（１２）と連結可能な連結係止部（１５）を備えた構成を採用することもできる。
【００４６】
また、本発明は、前記連結係止部（１５）が、３方向以上に設けられ、３方向以上に前記収納容器部（１２）を連結可能である構成を採用することもできる。
【００４７】
また、本発明は、前記連結係止部（１５）が、ファスナー（１２６）または面ファスナー（３２）である構成を採用することもできる。
【００４８】
また、本発明は、前記収納容器部（１２）、または前記収納容器部（１２）に備えられた曲折連結部（１３）に、配置材保持部（１０１）を備え、該配置材保持部（１０１）は、配置保持材（１００）を係止可能な部分である構成を採用することもできる。
【発明の効果】
【００４９】
本発明に係る収納ユニットによれば、机等の角部で、人、特に幼児や老人が転倒した際に、頭を係る角部から守る、収納ユニットあるいは植栽ユニットという、安全性にも優れた効果を発揮する。
【００５０】
本発明に係る収納ユニットによれば、例えば、2階以上のベランダ等の柵においても、落下等への安全性を高め、安心、安全に省スペースな収納ユニット、植栽ユニットを提供し、雑然としたベランダ等の物品を省スペースに整理可能、または柵の装飾と目隠しが可能なであるという優れた効果を発揮する。
【００５１】
本発明に係る植栽容器によれば、屋内、屋外を問わず、比較的狭い設置領域においても多種多様な植物を省スペースで自由なレイアウトで、安全で、植物の根詰まりによる枯死の危険を軽減し、植物に優しく栽培し易い緑花のパーテーションを図れるという優れた効果を発揮する。
【００５２】
本発明に係る植栽容器によれば、狭いスペースを有効活用した家庭菜園等も可能であり、安全で迷惑が掛かり難いようにマンション等でも手軽に家庭菜園を楽しむことが可能で、また、緑化の目隠しとすることも可能であるという優れた効果を発揮する。
【００５３】
本発明に係る植栽容器によれば、比較的大きな根を持った植物の植栽も、垂直面に植栽可能であるという優れた効果を発揮する。
【００５４】
本発明に係る植栽容器によれば、容易に、緑花で装飾された案内表示や看板の設置が可能であり、緑花で目を引き効果の高い案内表示という優れた効果を発揮する。
【００５５】
本発明に係る植栽容器によれば、容易に、柱等を車などから守るという優れた効果を発揮する。
【図面の簡単な説明】
【００５６】
【図１】本発明に係る折巻収納ユニットの基本構成説明図である。
【図２】本発明に係る折巻収納ユニットの基本構成説明図である。
【図３】本発明に係る折巻収納ユニットの曲折連結部や対向保持部等の応用例の構成説明図である。
【図４】本発明に係る折巻収納ユニットの連結係止部の構成の説明図である。
【図５】本発明に係る折巻収納ユニットにおいて、多数の収納容器部が連結された構成説明図である。
【図６】本発明に係る折巻収納ユニットにおいて、可撓橋架材が連結された構成説明図である。
【図７】本発明に係る折巻収納ユニットの台車の構成説明図である。
【図８】本発明に係る折巻収納ユニットの側面開口の構成説明図である。
【図９】本発明に係る折巻収納ユニットの開口保持材の構成説明図である。
【図１０】本発明に係る折巻収納ユニットの配置保持材の構成説明図である。
【図１１】本発明に係る折巻収納ユニットの連結係止部のバリエーションの構成説明図である。
【図１２】本発明に係る折巻収納ユニットの、机等の角部から保護する構成説明図である。
【発明を実施するための形態】
【００５７】
本発明に係る折巻収納ユニット１は、可とう性を有する略シート状の素材から成る１以上の構成シート１０によって構成される収納容器部１２であって、中空の中空領域である中空収容部１４を備え、中空収容部１４は、収容物Ｓが収容される収容部であり、収納開口１１を備え、係る収納開口１１は、収納容器部１２の外から前記中空収容部１４の収容部内に収容物Ｓを出し入れする開口部であり、構成シートの係止されていない端部により形成され、前記収納容器部１２は、２以上の前記中空収容部１４が、曲折または回動可能な曲折連結部１３を介して、一体に、設けられているか、または、２つ以上の前記中空収容部１４が、着脱可能な曲折連結部１３を介して連結されることが可能であり、 前記曲折連結部１３は、前記収納容器部１２に収容物Ｓが収容された状態でも曲折または回動可能であることによる有用性を発揮するものである。
【００５８】
以下、図面に基づいて本発明に係る折巻収納ユニット１について説明する。但し、図面に示した形状や配置構成等についてはあくまでも例示であり、本願発明の特徴的な効果が発揮される範囲において変更することを可能であり、また、それぞれの図の例示の構成は、それぞれお互いの図面の構成の例において、応用可能とする。
【００５９】
なお、図面の説明においての上または下は、図面に表された折巻収納ユニット１の収納開口１１のある側、あるいは、開口方向を上側とし、その反対側を下側とするものであり、右または左は、それぞれ、図１（ａ）または図３（ｄ）、図５（ｂ）、図９（ａ）、図９（ｂ）、図１１（ａ）、図１２（ｅ）の各図面においての、右または左を指すものである。
【００６０】
図１は、本発明に関する折巻収納ユニット１の1つの基本構成を示す。
図１（a）の構成の例においては、係る折巻収納ユニット１は、可とう性を有する略シート状の素材から成る構成シート１０が、上部に開口部である収納開口１１を備えた、可撓性の容器状であり、係る容器状の左右両端に、可撓性の素材から成る可撓性部材で構成されたタブ状の曲折連結部１３と係る曲折連結部１３には、着脱可能な係止部である、連結係止部１５を備え、係る連結係止部１５が、ファスナー１２６である収納容器部１２の構成の例である。
【００６１】
係る連結係止部１５を備えた曲折連結部１３によって、係る収納容器部１２は、他の、同様に連結係止部１５を備えた収納容器部１２と連結可能であり、必要に応じて、自由に横方向、つまり略水平方向に複数の係る収納容器部１２を連結することが可能な構成の例であり、自由に横方向、つまり略水平方向に長さを自由に変更可能に複数連結することが可能で有用であり、また、それ以外にも様々な効果を最大限に発揮させるものである。
【００６２】
図１（ｂ）の構成の例の折巻収納ユニット１は、図１（a）の５つの構成の収納容器部１２が、連結され、係る収納容器部１２は、略楕円状の筒状であり、係る収納容器部１２が連結された状態で、ジグザグに載置されることによって、自立可能となる構成の例である。
【００６３】
係る収納容器部１２は、可撓性の素材から構成されている為、特に、底面の面積に対して、高さがある構成の場合、係る収納容器部１２単体では、座屈してしまい、自立することは困難であるが、係る収納容器部１２の収容部である中空収容部１４に、例えば、収容物Ｓとして植物Sを植栽する為の培養基材３４を収容することによって、座屈を抑制することが可能となり、また、係る中空収容部１４が１つだけの係る収納容器部１２は、特に、座面である底面の面積に対して、高さが高い場合、自立するには不安定で、転倒し易く、実用性は無いものである。
【００６４】
しかし、図１（ｂ）の構成の例の様に、複数の中空収容部１４が、連結され、係る連結された中空収容部１４を、例えば図１（ｂ）の様にジグザグに配置することによって、たとえ１つの中空収容具だけでは転倒し易い様な厚みや太さの中空収容部１４を備えた収納容器部１２であっても、屏風の様に自立可能となり、アレンジの自由度が増し、例えば、植栽可能なパーテーションとしても、スペースを取らず、長さやアレンジの配置を自由に変更可能で、１つ１つの中空収容部１４も軽量化できるので少ない労力で、移動や配置変更が可能な緑花のパーテーションを創出することが可能な構成となっており、有用である。
また、係る収納開口１１の開口部がそれ程広くなくても、培養基材３４の深さがある構成である為、下に根３６を広げるスペースが十分にある為、根３６詰まり等による根３６腐れも抑制でき、植物Sにとっても、元気に生育し易い環境を提供可能で、その分、植物Sの管理も、よりし易い構成であり、有用である。
【００６５】
また、可撓性のある構成シート１０で係る収納容器部１２は構成されているので、軽量で、また、形状も必要に応じて自由に製作することも可能で、また、ソフトな素材であるので、人や車がぶつかっても人や車に対する損傷や、係る収納容器部１２自体の損傷も抑制可能で、有用である。
【００６６】
曲折連結部１３は、２つまたはそれ以上の収納容器部１２を、横方向、つまり略水平方向に連結する連結部であり、本構成の例の様に、２つの中空収容部１４を分離可能に着脱可能な曲折連結部１３でも良いし、着脱はできないが、２つまたはそれ以上の中空収容部１４を曲折可能な連結部としても良いし、また、本構成においては、係る収納容器部１２の上から下まで略全体に渡って可撓性シートが設けられた構成であるが、１以上のベルト状の曲折連結部１３としても良いし、Ｄカンや丸カン等、それ自体が連結係止部１５である構成によって連結される構成としても良く、その他、限定せず、本発明の技術的思想の範囲内、即ち、同一の作用効果を発揮できる形状及び寸法の範囲内で変更することができるものである。
【００６７】
連結係止部１５は、本構成の例においては、ファスナー１２６であるが、面ファスナー３２でも良いし、Ｄカンや丸カン、バックル、紐や結束バンドによる結束、フック、ホック、ネジ、リベットその他、限定せず、本発明の技術的思想の範囲内、即ち、同一の作用効果を発揮できる形状及び寸法の範囲内で変更することができるものである。
【００６８】
但し、係る曲折連結部１３と連結係止部１５の構成は、少なくとも、係る収納容器部１２の上部側と下部側の２点では係止されている構成とした方が、より安定し、転倒等の心配は少なく、更に、３点あるいはそれ以上で多く係止されている方がより安定し有用であり、また、図１（ｂ）の構成の例の様に、ファスナー１２６や面ファスナー３２にて、係る収納容器部１２の略上から下まで全体にて係止した構成とする方が、連結した互いの収納容器部１２が、より一体化して、安定する為、転倒し難くなり、有用である。
図１（ｃ）の構成の例は、図１（ｂ）の構成の様に、複数の収納容器部１２が曲折連結部１３において着脱可能に連結され、係る連結された収納容器部１２が、柵１９に吊設された構成の例である。
【００６９】
係る折巻収納ユニット１は、係る柵１９の各々の柵１９の支柱１６に対して、互い違いに設けられた構成の例であり、互い違いに係る柵１９に設けることによって、係る収納容器部１２が、落下する心配はまず無い、安全な構成であるものであり、例えば、一般的なハンギングバスケットの場合、引掛けているだけの場合は、例えば台風等で強風の際には、落下する恐れもあるし、落下しないようにしっかりとボルト等で係止する構成とすると、係る係止する為の部材も必要となってくる為、コスト等もアップするという課題もあるものである。
【００７０】
また、本構成の例においては、係る柵１９の外からの目隠しにもなり、例えば、道路から係る柵１９越しに、部屋の中が丸見えの場合、プライバシーを守る効果があり、且つ、必要な部分だけ、目隠しを兼ねて設けることができるので、例えばコンクリート状の仕切り等の構成と比較しても、風通しを確保することも可能で有用である。
【００７１】
また、本構成の例においては、係る柵１９の内側と外側に互い違いに収納容器部１２が設けられた構成となるので、外側からの緑花による装飾も可能であるし、部屋側からも、緑化を楽しめ、また、場合によっては、野菜等を植栽して、ちょっとした家庭菜園を、土地の無い、マンション等においても、場所を取らず、収納容器部１２を設けることが可能で、有用である。
【００７２】
特に、マンション等においてベランダに鉢やプランターを置くと、限られたベランダのスペースが狭くなるという課題もあり、係る課題の改善にも効果的であり、有用である。
【００７３】
尚、本構成の例においては、係る柵１９に上から吊設されて、地面から浮いた状態に設けられた構成の例であるが、係る柵１９に互い違いに設けられた状態で、地面に載置された構成としても良いし、また、係る柵１９の支柱１６に係止した構成としても良い。
【００７４】
図１（ｄ）の構成の例は、図１（ｃ）の構成の例の、上方からの断面図であり、係る柵１９の支柱１６に互い違いに係る折巻収納ユニット１が設けられており、曲折連結部１３が係る柵１９の支柱１６に、互い違いに設けられることによって略密着することによって、係る折巻収納ユニット１が安定して保持される様にして係る柵１９に設けられている構成を示している。
【００７５】
尚、図１（ａ）における、九十九折り線で示した部分が、シート係止部２０であり、構成シート１０同士の係止部分を示しており、係る係止部は、縫製や接着、融着等によって係止されるものであり、その数や長さについては特に限定するものではなく、また、着脱可能に係止しても良い。
【００７６】
また、図面には示されていないが、多数の係る収納容器部１２を、ビルなどの太い柱に、巻くようにして設けることも可能であり、係る構成によって、柱の周囲に広いスペースを取らず、係る柱の外周に合わせて、自由に係る折巻収納ユニット１の長さを設定可能であり、自由度が高い収納容器部１２として有用である。
【００７７】
図１（ｃ）あるいは図１（ｄ）の構成の例においては、係る支柱１６の一本ごとに互い違いに係る折巻収納ユニット１が設けられているが、２本ごと、あるいはそれ以上の数ごとでも良く、それにより、収納容器部１２のサイズを大きく構成することも可能で、選択可能である。
【００７８】
図２は、本発明に関する折巻収納ユニット１の基本構成について、係る中空収容部１４が、曲折連結部１３を介して、横方向、つまり略水平方向に２つ連結された構成の例を示す。
【００７９】
図２（a）の構成の例は、曲折連結部１３を介して連結された、収納容器部１２を構成する中空収容部１４が、略垂直方向の支柱１６に、係る曲折連結部１３で巻かれる様にして設けられた構成の折巻収納ユニット１の構成の例である。
【００８０】
係る折巻収納ユニット１に設けられた可撓性を有する略シート状の曲折連結部１３は、係る２つの中空収容部１４が対面するようにして、係る支柱１６に巻いて設けられており、係る曲折連結部１３の上側と下側に、係る曲折連結部１３を係る支柱１６に巻いた状態で、且つ、係る２つの中空収容部１４の対面した状態を保持可能に、係る曲折連結部１３に設けられた曲折保持係止部２１が設けられており、係る曲折保持係止部２１は、係る曲折連結部１３の上側と下側に、それぞれ２つずつ設けられており、係る曲折連結部１３が係る支柱１６を巻くようにして設けられた状態で、上下それぞれの曲折保持係止部２１は対面し、互いに係止可能な構成であり、係る対面した曲折保持係止部２１は、係る対面状態にて互いに紐で係止された構成の例である。
【００８１】
上側と下側に係る曲折保持係止部２１が備えられていることによって、係る曲折連結部１３と支柱１６の位置関係を保持し、つまり、係る曲折連結部１３の折り曲げ方向を、係る支柱１６と略平行状態を保持可能とし、係る収納容器部１２に、例えば、収容物Ｓとして、培養基材３４と、植物Sが植栽されても、係る培養基材３４と植物Sの重量による係る収納容器部１２の傾きを抑制する構成である。
【００８２】
図２（ｂ）の構成の例は、図２（a）の構成の例における上下に設けられている曲折保持係止部２１の内、上側の穴状の曲折保持係止部２１に設けられた紐にて、係る折巻収納ユニット１が吊設された構成の例であり、係る曲折保持係止部２１は、係る折巻収納ユニット１を吊設する吊設部も兼ねた、曲折吊設部２７である。
【００８３】
係る紐は、係る対面した曲折保持係止部２１である穴に挿通して設けられていることによって、係る紐にて係る折巻収納ユニット１が吊設された際に、係る紐によって係る挿通した曲折保持係止部２１が締められることによって、係る曲折連結部１３が、より強く係る支柱１６を強く締める構成であり、吊設しながら且つ、支柱１６にしっかりと係る折巻収納ユニット１を保持させる構成であり、有用である。
【００８４】
係る曲折保持係止部２１は、係る曲折連結部１３を、係る支柱１６に曲げられて巻くようにして保持可能として、係る２つの中空収容部１４を対面して保持可能とする構成の係止部であり、係る支柱１６に曲げられて巻くようにして設けられた対面した曲折保持係止部２１または中空収容部１４の対面したそれぞれの曲折連結部１３または中空収容部１４に設けられて、互いに係止して保持する構成の係止部であり、図２（ｂ）の構成の例の穴でも良いし、面ファスナー３２でも、ホック３１でも、マグネットでも、良く、その他、限定せず、本発明の技術的思想の範囲内、即ち、同一の作用効果を発揮できる形状及び寸法の範囲内で変更することができるものである。
【００８５】
図２（ｃ）の構成の例は、係る曲折連結部１３が、係る中空収容部１４を分割するようにして設けられたシート係止部２０である構成の例であり、係るシート係止部２０にて曲折可能であり、係る曲折連結部１３を挟んで、上下に設けられた２対の穴である曲折保持係止部２１を備えた構成の例である。
【００８６】
係る構成においては、係る曲折連結部１３の幅が狭いので、係る曲折連結部１３において曲折させて支柱１６に巻くようにして設ける場合は、係る曲折連結部１３でも巻くようにして挟持可能に設けることが可能な、細い支柱１６であることが望ましく、係る曲折連結部１３は、必要に応じて幅が広い可撓性シートあるいは可撓性の部材である構成とすることによって、より太い支柱１６に係る折巻収納ユニット１を設けることが可能となり、有用である。
【００８７】
また、係る曲折連結部１３は、図６の構成の例に示される、可撓橋架材６０を着脱可能に設けることによって、必要な支柱１６の太さに合わせて係る曲折連結部１３の長さを調整可能な構成とすることも可能であり、有用である。
【００８８】
また、係る曲折連結部１３の長さを調整可能な構成については、図面には示されていないが、ベルトの様に、重複部を備えて係る重複量を調整することによって係る長さを調整可能な構成としても良いし、係る曲折連結部１３の材質をゴム等の伸縮性のある素材としても良いし、その他、限定せず、本発明の技術的思想の範囲内、即ち、同一の作用効果を発揮できる形状及び寸法の範囲内で変更することができるものである。
【００８９】
図２（d）の構成の例は、係る曲折連結部１３が、係る中空収容部１４を分割するようにして設けられた２本のシート係止部２０に挟まれた部分である構成の例である。
係る２本のシート係止部２０に挟まれた部分が構成する曲折連結部１３が曲折することによって、係る曲折連結部１３を支柱１６に巻くようにして係る支柱１６を挟んで設けることが可能である構成である。
係る曲折連結部１３をシート係止部２０によって形成する構成においては、１つの中空収容部１４を分割するようにして係止する構成であるので、係る曲折連結部１３を、別の可撓性シートなど他の部材を準備して設ける構成と比較して、部品点数が少なく、また、製造も容易であり、つまり、コストダウンが図れる構成であり、有用である。
【００９０】
図２の構成の例の様に、柵１９等の支柱１６を巻くようにして、挟持して係る支柱１６に折巻収納ユニット１が、設けられることによって、例えば、2階以上のベランダの柵１９などに収納容器部１２を設置する場合でも、係る収納容器部１２が落下する危険も大きく軽減でき、また、係る収納容器部１２自体の重量も軽量で柔らかいので、硬質な収納容器部１２と比べても安全性も高く、また、ベランダの柵１９の外に安全性高く係る収納容器部１２を設置することが可能であるので、狭いベランダ等のスペースを、有効に活用でき、有用であり、狭いベランダに、沢山の収納容器部１２を置いているような雑然とした状態を整理でき、有用である。
【００９１】
図３の構成の例は、図２の構成の例の応用の例と、図２の構成の例と同等の折巻収納ユニット１が、柵１９に設けられた構成の例である。
【００９２】
図３（a）の構成の例は、図２（ｂ）の構成の例の様に、上側に設けられた穴状に設けられた曲折保持係止部２１に紐が挿通されて吊設された構成の例であり、係る折巻収納ユニット１の下部に、係る収納容器部１２に潅水した水の排水を受ける水受けである、水受け部３５を備えた構成の例であり、また、係る曲折連結部１３が設けられた中空収容部１４の反対側に、係る対面した２つの中空収容部１４に対向して密着して保持可能とする、対向保持部３０を備え、係る対向保持部３０によって、係る対向した２つの中空収容部１４を密着して保持された構成の例である。
【００９３】
図３（a）の構成の例における水受け部３５は、可撓性シートで形成され、対向する２つの中空収容部１４の底部をまとめて跨いで覆う様にして、着脱可能に設けられた構成の例であり、係る水受け部３５は、面ファスナー３２によって係止して設けられた構成の例である。
係る水受け部３５は、水誘導受け部であり、係る水誘導受け部は、係る曲折連結部１３の方に向かって、低くなる様に、つまり、水が流れる様にして設けられており、係る構成によって、例えば、マンション等の外側に水が落下することを抑制する構成であり、下の階に排水した水が落下するのを抑制して、迷惑が掛からないようにした構成であり、有用である。
また、係る水受け部３５が、２つの対向した中空収容部１４を跨ぐ様にして設けられている為、係る水受け部３５が、係る中空収容部１４の密着した状態を保持することを補助する機能も兼ね備えた構成であり、有用である。
【００９４】
係る水受け部３５は、図３（a）の構成の例においては、２つの中空収容部１４を跨ぐ様にして設けられているが、それぞれの中空収容部１４の底に備えるようにした構成としても良いし、また、係る水受け部３５の収納容器部１２への係止方法も、面ファスナー３２でも良いし、ホック３１でも、穴に引掛ける構成でも、マグネットでも良く、その他、限定せず、本発明の技術的思想の範囲内、即ち、同一の作用効果を発揮できる形状及び寸法の範囲内で変更することができるものである。
【００９５】
また、係る水受け部３５は、係る収納容器部１２から完全に分離して脱着可能な構成しても良いし、一部は脱着不可能に係る収納容器部１２の一部に係止され、係る折巻収納ユニット１を支柱１６に設置した際に、全体を図３（a）の構成の例のような正規の位置に脱着可能に設けることができる構成としても良い。
【００９６】
また、図３（a）の構成の例の対向保持部３０は、リボン状の面ファスナー３２によって、係止される構成の例であるが、ベルトでも、Dカンや丸カン、フックでも良く、その他、限定せず、本発明の技術的思想の範囲内、即ち、同一の作用効果を発揮できる形状及び寸法の範囲内で変更することができるものである。
【００９７】
図３（ｂ）の構成の例においては、曲折保持係止部２１が、ホック３１の構成の例であり、８対のホック３１が、曲折保持係止部２１として、曲折連結部１３に設けられて、係る支柱１６に設けられた構成の例であり、係る折巻収納ユニット１の上部側から下部側まで多数のホック３１で係止されることによって、より安定的に、係る支柱１６に保持される構成の例である。
図３（ｃ）の構成の例においては、図３（b）の構成の例における係るホック３１の代わりに、係る曲折連結部１３全体が、面ファスナー３２である曲折保持係止部２１とすることによって、係る支柱１６の太さに関わらず、より隙間なく、係る支柱１６をホールドすることが可能となり、有用であり、図３（ｃ）の図は、係る構成の例の上面図であり、支柱１６のみ、断面図として、係る折巻収納ユニット１を上から見た構成の上面図である。
【００９８】
係る面ファスナー３２である曲折保持係止部２１は、中空収納部を構成する構成シート１０にも設けられた構成とすることによって、より、強固に保持可能な構成となり、有用である。
【００９９】
図３（ｄ）の構成の例においては、図２（a）及び、図２（b）の構成の例の折巻収納ユニット１が、柵１９に設けられた構成の例であり、係る折巻収納ユニット１が、係る柵１９の支柱１６の一本おきに設けられており、左側３つの折巻収納ユニット１は、吊設されず、係る支柱１６に設けられた状態で地面に載置された構成であり、一番右側の折巻収納ユニット１は、係る柵１９の手すり１８に吊設されて設けられた構成の例であり、それぞれの折巻収納ユニット１には、植物Sが植栽された構成の例である。
【０１００】
図４の構成の例は、図２、図３の構成の例の様に、２つの中空収容部１４を備えた本発明に関する折巻収納ユニット１が、図1（a）の構成の例と同様に、曲折連結部１３に設けられた連結係止部１５を備えて、2つに分離可能に着脱できる構成の例であり、係る構成とすることによって、例えば、中空収容部１４のサイズが大きく、培養基材３４と植栽植物Sを収容した状態では、係る柵１９の支柱１６と支柱１６の隙間を通すことが困難な場合においても、係る柵１９の上側から係る2つの収納容器部１２を係る柵１９の外側に出して、外側から係る支柱１６の間を係る曲折連結部１３を通して、係る支柱１６に係る曲折連結部１３を巻くようにして挟持した状態で、係る連結係止部１５であるファスナー１２６で係止して、係る折巻収納ユニット１を係る支柱１６に設けることが可能となり、有用な構成である。
【０１０１】
図４（a）の構成の例は、係る連結係止部１５を係止した状態の構成の例であり、図４（b）の構成の例は、係る連結係止部１５であるファスナー１２６を外した構成の例である。
【０１０２】
図５の構成の例は、可撓性のシートである構成シート１０で構成された本発明に関する多数の収納容器部１２が連結された構成の折巻収納ユニット１の構成の例を示した上面図の説明図である。
【０１０３】
図５（a）の折巻収納ユニット１の構成の例は、５つの収納容器部１２が連結して自立可能に載置された構成の折巻収納ユニット１の例であり、両端の２つの収納容器部１２は、広い底部を備えた収納容器部１２である為、安定的に自立可能であり、係る自立可能な両端の収納容器部１２に設けられた連結係止部１５から、直列に３つの薄形の略楕円状で収納容器部１２が、曲折連結部１３と連結係止部１５を介して設けられた構成の例である。
係る５つの収納容器部１２は、両端の連結係止部１５を備えた安定的に載置された収納容器部１２に連結されることによって、安定的に自立可能に載置された構成の例である。
特に、係る収納容器部１２と収納容器部１２の間の曲折連結部１３または連結係止部１５は、しっかりとテンションをかけて、ピンと張った状態で連結することによって、係る張力によって、連結した収納容器部１２がより安定的に自立可能となる構成である。
【０１０４】
図５（ｂ）の折巻収納ユニット１の構成の例は、１１つの収納容器部１２が連結して自立可能に載置された構成の例であり、様々なパターンで係る収納容器部１２を連結して設けることによって、自立可能となる構成の例で、ぞれぞれの部分において、係る配置構成のパターンの例の説明の為の図である。
一番左の３つの収納容器部１２は、Yの字状あるいは、T字状に設けられることによって、安定的に自立可能な構成の部分を示しており、左から３つ目の収納容器部１２は、３方向に収納容器部１２を係止可能な連結係止部１５と連結係止部１５を備えた曲折連結部１３を備えた構成の例であり、左側に２方向、右側に１方向の連結係止部を備えている構成の例である。
【０１０５】
左から４つ目の収納容器部１２においては、十文字状に４つの方向の連結係止部１５が設けられて、収納容器部１２を設けることが可能に、連結係止部１５を備えた曲折連結部１３を備えた収納容器部１２の構成の例であり、係る収納容器部１２には、十文字状に４方向に収納容器部１２が設けられていることによって、安定的に自立可能な構成の部分を示している。
【０１０６】
尚、図面には示していないが、係る十文字の４方向に設けられた連結係止部１５は、係る十文字方向のうち、L字方向のみに設けられても良いし、T字方向にのみ設けられても良いし、くの字方向に設けられても良く、係る構成によって、係る収納容器部１２を、L字状、T字状、くの字状に設けることが可能となり、より、自由度が高く安定して自立可能に係る収納容器部１２を、設置することが可能な構成であり、有用である。
【０１０７】
また、左から７つ目の収納容器部１２においては、左側に一方向、右側に３方向に分岐して収納容器部１２を設けることが可能に、連結係止部１５と連結係止部１５を備えた曲折連結部１３を備えた収納容器部１２の構成の例であり、同様に、複数方向に係る収納容器部１２を分岐して設けることによって、係る折巻収納ユニット１が自立可能となる構成の例である。
【０１０８】
係る構成によって、例えば、レストラン等のテーブルの配置に合わせて、複数のテーブルを囲う様に、係る収納容器部１２を自由に、しかも、スペースの幅を取らずに配置可能であり、それによって、通路を広くしたり、テーブルをより多く設置することが可能となり、有用である。
【０１０９】
何れの構成の場合も、一番端に配置される収納容器部１２には、図５（a）の構成の例の端に設けられた収納容器部１２の様に、安定して倒れ難い収納容器部１２、あるいは支柱１６などを設けることによって、より、係る一連の折巻収納ユニット１が、より、安定して自立可能な構成となり、有用である。
図５（ｃ）の構成の例は、本発明に係る収納容器部１２を、円状に設けた構成の例である。係る周状に係る収納容器部１２を設ける構成とすることによって、より安定的に係る折巻収納ユニット１は自立可能となる構成である。
また、係る折巻収納ユニット１を、柱の周囲に設けても良い。
【０１１０】
図６の構成の例は、本発明に関する２つの収納容器部１２のそれぞれに備えられた連結係止部１５に、可撓性のシートが、可撓橋架材６０として設けられている構成の例である。
【０１１１】
図６（a）の折巻収納ユニット１の構成の例は、図５（a）の構成の例における真ん中の３つの略楕円状の収納容器部１２の内の２つの代わりに、可撓性のシートを設けた構成の例であり、レイアウトの構成によって、より軽量で巾の狭いパーテーションとして、自由に係るアレンジを構成可能な構成の例であり、係るファスナー１２６である２つの収納容器部１２の連結係止部１５に、可撓性シートを係止して、着脱可能な、大きな曲折連結部１３としても良い構成の例であり、自由度が高く、有用である。
また、係る可撓橋架材６０に、広告等を施しても、緑や花で目を惹きつけ、有用である。
【０１１２】
図６（b）の構成の例は、図６（a）の構成の例の折巻収納ユニット１に、植物Sを植栽した構成の例の略正面からの斜視図である。
【０１１３】
図６（ｃ）の構成の例は、図６（a）の構成の例の折巻収納ユニット１の両端の底部が広く安定的に自立可能な収納容器部１２の代わりに、支柱１６である支持材１０２に係止して設けられた構成の例であり、係る支柱１６の間に、図６（a）の構成の例の様に、連結係止部１５を備えた収納容器部１２と、係る連結係止部１５に係止された構成シート１０が交互に設けられた構成の例である。
係る構成によって、例えば、閉店時の駐車場への侵入を、防止するような門、あるいは、仕切りなどを、緑花で装飾しながら、設けることが可能で、有用である。
【０１１４】
係る可撓性シートに、閉店中や店名などの文字などで装飾しても、分かり易く、有用である。
支持材１０２は、本構成の例においては、支柱１６であるが、係る支持材１０２は、複数の収納容器部１２で構成された折巻収納ユニット１の内、少なくとも１つ以上の係る収納容器部１２の連結係止部１５に係止されることによって、係る折巻収納ユニット１を、より、安定して自立可能にする為の支持材１０２であり、支柱１６でも良いし、壁１２２でも、木でも、陶器でも、容器でも良く、その他、限定せず、本発明の技術的思想の範囲内、即ち、同一の作用効果を発揮できる形状及び寸法の範囲内で変更することができるものである。
【０１１５】
可撓橋架材６０は、本発明に関する２つの収納容器部１２のそれぞれに備えられた連結係止部１５の間に、係る連結係止部１５に係止されて、橋架されて設けられる可撓性の部材であり、図６の構成例における可撓性のシートでも良いし、ベルトでも、ワイヤーでも、紐でも良く、また、長さが調整可能に、巻き取り式の構成としても良く、その他、限定せず、本発明の技術的思想の範囲内、即ち、同一の作用効果を発揮できる形状及び寸法の範囲内で変更することができるものである。
【０１１６】
図７の構成の例は、本発明に関する複数の収納容器部１２が、図７（a）の構成の例の様に、連結された折巻収納ユニット１において、各単独の中空収納部を備えた収納容器部１２が、各々台車７０に備えられた折巻収納ユニット１の構成の例である。
【０１１７】
係る構成によって、係る折巻収納ユニット１は、蛇の様に自由に蛇行して移動容易であり、係る折巻収納ユニット１の配置を、自由に容易に蛇行させてアレンジ可能な構成となり、有用である。
尚、本構成の例においては、１つの収納容器部１２に対して、１つの台車７０が割り当てられているが、２つまたは２つ以上の収納容器部１２に、１つの台車７０を割り当てる構成としても良い。
【０１１８】
図７（ｂ）は、係る台車７０に載置された収納容器部１２の断面図を示している。
図７（b）の構成の例の係る台車７０には、本発明に関する収納容器部１２が下部を挟持されて載置されており、係る収納容器部１２は水抜き穴１７を備え、植物Sが、培養基材３４に根３６を張って植栽され、係る収納容器部１２に潅水された水は、係る水抜き穴１７から排水され、係る台車７０の底部は、二重底になっており、排水された係る水が、係る二重底の下側の底に貯まることが可能な構成となっている。
尚、図面のドット部が、培養基材３４を示している。
【０１１９】
また、図面には示されていないが、係る台車７０同士が、蛇行可能にフック等で連結されていても良い。
係る折巻収納ユニット１は、台車７０に載置した場合も、係る収納容器部１２同士が係止されることによって、互いの収納容器部１２同士が支え合って転倒防止となり、有用である。
【０１２０】
図８の構成の例は、図１（a）の構成の例に示されるような、両端に連結係止部１５を備えた本発明に関する折巻収納ユニット１を構成する収納容器部１２の構成シート１０の側面に、図８（a）の構成の例の様に、×状のスリットが設けられ、係るスリットは側面開口８０であり、係る側面開口８０に、植物Sを植栽可能な構成の例であり、図８（ｂ）は、図８（a）の構成の例の折巻収納ユニット１に、植物Sが植栽された構成の例である。
【０１２１】
係る側面開口８０はスリットでも良いし、係るスリットは、Ｘ状でも、一本のスリットでも良いし、穴でも良いし、２枚の構成シート１０の間に設けられた隙間でも良いし、係る側面から植栽される構造については、その他、限定せず、本発明の技術的思想の範囲内、即ち、同一の作用効果を発揮できる形状及び寸法の範囲内で変更することができるものである。
【０１２２】
図９の構成の例は、本発明に関する収納容器部１２の収納開口１１に、係る収納開口１１を、例えば、図１（a）の構成の例の収納容器部１２の様に略楕円状の収納開口１１を保持させるための開口保持材９１を備えた構成の例である。
【０１２３】
係る開口保持材９１によって、係る収納開口１１の形状を、係る収納容器部１２の形状に合った略楕円状に保持することによって、他の収納容器部１２の連結係止部１５と連結し易いように、係る連結係止部１５の位置を保持することが可能となり、また、係る収納容器部１２の厚みが必要以上に厚くなるのを抑制することが可能となり、有用である。
【０１２４】
また、係る開口保持材９１は、一文字だけではなく、十文字に設けても良いし、＊形に設けても良いし、〇に設けても良く、その他、限定せず、本発明の技術的思想の範囲内、即ち、同一の作用効果を発揮できる形状及び寸法の範囲内で変更することができるものである。
【０１２５】
但し、図９の構成における開口保持材９１は、主には、隣の収納容器部１２との連結係止部１５による係止をし易く、その距離を一定にするものであり、主には、１本の棒状体の開口保持材９１で、シンプルであり、且つ、十分係る有用性を発揮する構成であるものであり、必要に応じて、より良い開口保持材９１の構成を選定することが望ましい。
また、係る開口保持材９１の長さを、収納開口１１のサイズに合わせて調節可能な構造としても良い。
【０１２６】
図９の構成の例においては、係る中空収容部１４の左右の両端部に係る開口保持材９１を突き刺す穴である、保持材係止部２２が設けられており、係る保持材係止部２２である穴に係る開口保持材９１が挿入されて、係る中空収容部１４の両端を突っ張り、係る中空収容部１４の幅を保持される構成の例であり、図9（a）は、係る開口保持材９１を備えた収納容器部１２の構成の外観を示した
例であり、図９（ｂ）、図９（ｃ）、図９（ｄ）は、それぞれ、図９（ａ）の構成の上面図、側面図、上面図の部分拡大図である。
【０１２７】
図９（ｃ）に示される様に、図２の中空収容部１４の側面には、穴である保持材係止部２２が備えられており、係る保持材係止部２２に先端がテーパー状の開口保持材９１が挿入され、係る保持材係止部２２の穴の外径よりも小さい径の開口保持材９１が係る開口保持材９１のテーパー部で挿入が止まり（図２（ｄ）も合わせて参照）、係る開口保持材９１が、図２（ｂ）に示される様に、係る中空収容部１４を、係る収納開口１１を左右の長手方向に、その開口を保持している構成の例である。
【０１２８】
保持材係止部２２は、図９の構成においては、穴であるが、丸カンやDカン、紐でも良く、また、図面には示していないが、係る可撓性シート１０の中を係る開口保持材９１を挿通させる構成としても良く、その他、開口保持材９１にて係る中空収容部１４の収納開口１１の左右方向の開口長さを座屈しないように保持する為の開口保持材９１を係止可能な構成であれば、その他、限定せず、本発明の技術的思想の範囲内、即ち、同一の作用効果を発揮できる形状及び寸法の範囲内で変更することができるものである。
【０１２９】
係る構成によって、係る中空収容部１４を連結された他の収納容器部１２から分離しても、係る収納開口１１が変形せず、有用である。
【０１３０】
図１０の構成の例は、本発明に係る配置保持材１００の構成の例を示している。
図１０（ａ）の構成の例においては、図１（ｂ）の構成の例と同様に、連結された収納容器部１２が、ジグザグに配置された折巻収納ユニット１の構成の例の上面図であり、ジグザグに設けられた係る複数の収納容器部１２に、橋架して、配置保持材１００が、係る収納容器部１２に備えられた面ファスナー３２である配置材保持部１０１に設けられており、係る配置保持材１００は、図１０（ｃ）に示される様な、くの字型をしている棒状体の例であり、係る配置保持材１００の、くの字の角度にて、係る収納容器部１２の配置位置が保持されている構成の例である。
【０１３１】
尚、図１０（ｂ）は、図１０（ａ）の構成の例の略正面側からの斜視図である。
係る配置保持材１００によって、係る収納容器部１２の配置位置関係がしっかりと決められることによって、係る折巻収納ユニット１が、より安定して自立することが可能であり、有用である。
【０１３２】
尚、係る配置保持材１００は、図１０（a）の構成の例においては、くの字の棒状体であるが、筒でも、針金でも、板状でも、網状でも良いし、また、その形状も、Ｌ字型でも良いし、円弧状でも、円でも良く、また、ヒンジなどによって、係る曲折角度を調整可能な構成としても良く、その他、限定せず、本発明の技術的思想の範囲内、即ち、同一の作用効果を発揮できる形状及び寸法の範囲内で変更することができるものである。
【０１３３】
また、係る配置保持材１００の数も、図１０（ｂ）の構成の例においては、２つの収納容器部１２を、２つの棒状体の配置保持材１００が橋架して設けられているが、係る数は、１つでも良いし、２つ以上でも良く、限定しない。
【０１３４】
また、係る配置保持材１００のサイズについても限定しないが、係る長さや太さや幅等のサイズが大きくなると、強度や安定度を増すことが可能となる一方、重量も合わせて増し、扱い難しかったり、保管場所も取るというマイナス面もあり、係るサイズは、必要な強度と安定度を考慮して、構成することが望ましい。
【０１３５】
配置材保持部１０１は、係る配置保持材１００を係止して保持する係止部であり、面ファスナー３２でも良いし、ホックでも、紐でも、ネジでも、マグネットでも、引掛け部でも、穴でも、ゴムでも、Dかんでも良く、その他、限定せず、本発明の技術的思想の範囲内、即ち、同一の作用効果を発揮できる形状及び寸法の範囲内で変更することができるものである。
また、配置材保持部１０１は、収納容器部１２に設けた構成としても良いし、曲折連結部１３に設けた構成としても良いし、係る収納容器部１２を載せた台車または台に設けた構成としても良い。
【０１３６】
図１０（ｄ）の構成の例は、半円状に連結して設けられた９つの収納容器部１２を、半円状の配置保持材１００によって、係る９つの収納容器部１２にまとめて橋架させて、係る収納容器部１２の位置を半円状に保持し、係る折巻収納ユニット１を、より安定的に自立可能とした構成の例である。
【０１３７】
図１０（ｅ）の構成の例は、係る配置保持材１００が、略直線の棒状である、距離保持材１０３である構成の例を示している。
係る、距離保持材１０３は、図１０（ｅ）の構成の例においては、曲折連結部１３で曲げられた折巻収納ユニット１の、係る曲折連結部１３を橋架して、収納容器部１２の構成シート１０に係止されて、係る係止された部分の距離を保持することによって、係る曲折連結部１３の曲折角度を保持する棒状体であるが、三角の板状でも良いし、その他、係る形状は限定せず、本発明の技術的思想の範囲内、即ち、同一の作用効果を発揮できる形状及び寸法の範囲内で変更することができるものである。
【０１３８】
図１０（ｅ）の構成の例においては、係る構成シート１０に設けられた配置材保持部１０１である、輪っかにして設けられた紐部に、図面には示されていないが、係る距離保持材１０３の略両端に設けられた、フックに係止された構成の例であるが、係る距離保持材１０３と係る収納容器部１２との係止方法は、その他、係る距離保持材１０３を構成シート１０に設けられた穴あるいは凹部に挿入してつっぱる構成としても良いし、図１０（ｇ）や図１０（ｆ）に示されたように、係る突っ張り棒の略両端部に設けられた、クリップ１０４にて、係る収納容器部１２の構成シート１０を挟持して、係止する構成としても良いし、係る係止方法は、その他、限定せず、本発明の技術的思想の範囲内、即ち、同一の作用効果を発揮できる形状及び寸法の範囲内で変更することができるものである。
【０１３９】
また、図１０（ｅ）の構成の例の距離保持材１０３は、伸縮可能な構成となっており、係る曲折連結部１３での、曲げ角度に応じて、係る距離保持材１０３の長さを替えることによって、様々な曲折連結部１３での曲げ角度に対応でき、有用である。
【０１４０】
尚、係る距離保持材１０３は、係る折巻収納ユニット１の、曲折連結部１３での曲げ角度を保持し、係る折巻収納ユニット１が倒れるのを抑制することが可能で、有用である。
【０１４１】
図１０（ｇ）及び図１０（ｆ）は、係る距離保持材１０３が、伸縮可能な構成の例であり、係る距離保持材１０３の略両端には、クリップ１０４が設けられており、係るクリップ１０４によって、収納容器部１２の構成シート１０を挟持して設けることによって、係る距離保持材１０３を、係る収納容器部１２に係止可能とする構成の例であり、係る構成とすることによって、クリップ１０４で、係る収納容器部１２の構成シート１０のどの部分にでも係る距離保持材１０３を係止することが可能となり、係る距離保持材１０３を長く伸ばした状態で、長さ保持ネジ１０５で係る距離保持材１０３の長さを保持し、つまり、筒材の中に挿入された棒材の挿入量で係る距離保持材１０３の長さを調整し、係る長さを係る長さ保持ネジ１０５で締め付けて係る長さを保持し、係る２つの収納容器部１２の距離を保持することによって、より強固に、安定して係る曲折連結部１３での角度を保持可能な構成とすることもできるし、また、係る距離保持材１０３を、短めにして係る収納容器部１２の構成シート１０に挟持することによって、係る曲折連結部１３の曲げられた周辺のスペースを、広く取ることが可能となり、また、係る曲折連結部１３の曲げ角度を変えた場合も、係る距離保持材１０３の長さを替えずに、二つの収納容器部１２の構成シート１０に係止することが可能となり、有用であり、特に、係る距離保持材１０３の長さが伸縮可能でない構成の場合は、構成シート１０のどの部分にでも挟持して係止可能であるので有用である。
【０１４２】
尚、係る距離保持材１０３は、本構成の例の様に、伸縮可能な構成としても良いし、伸縮はしない構成としても良いし、係る材質も、鉄やアルミニウムなどの金属でもよいし、木でも、ポリアミドやポリプロピレンの様な、プラスチックでも良いし、その他、限定せず、本発明の技術的思想の範囲内、即ち、同一の作用効果を発揮できる形状及び寸法の範囲内で変更することができるものである。
【０１４３】
このように、配置保持材は、隣り合った２つの収納容器部１２を橋架する構成としても良いし、隣り合わない収納容器部１２を橋架する構成としても良いし、２つ以上の収納容器部１２を橋架する構成としても良い。
また、図面には示していないが、係る配置保持材は、図１０においては、収納容器部１２に係止された構成であるが、曲折連結部１３に係止された構成としても良く、曲折連結部１３にて係止する構成においては、係る配置保持材１００をコンパクトにすることが可能となり、有用であり、また、係る収納容器部１２を載せた台車または台に設けた構成としても良い。
【０１４４】
図１１の構成の例は、本発明に係る連結係止部１５のバリエーションの構成の例を示している。
【０１４５】
図１１（a）の構成の例は、係る連結係止部１５が、Dカンの構成の例であり、係る連結係止部１５であるDカンが、３つのそれぞれの収納容器部１２の左右４つずつに設けられた構成の例である。
図１１（ｂ）は、係るDカンを連結係止部１５として、二重丸カンで連結させた折巻収納ユニット１の構成の例である。
また、係る連結係止部１５は、図面には示されていないが、Dカンの代わりに、蝶番を設けても良く、係る蝶番は、着脱可能な蝶番としても良く、例えば、オス側の棒と、係る棒を挿入するメス側の穴部を備え、係る棒を穴に挿入することによって回動可能な蝶番を形成する構成としても良いし、係る着脱方向は、係る穴の穴方向に、棒を挿入して着脱可能な構成としても良いし、２つの収納容器部１2に設けられた、上下方向に開口したそれぞれの穴に、棒をまとめて挿入することによって着脱可能とし、該棒を回動軸として回動可能な蝶番とする構成としても良いし、あるいは一方の収納容器部１2に設けられたフック状に引っ掛けられるように一部が開口した上下方向の穴に、もう一方の収納容器部１2に設けられた棒を引掛ける様にして、回動可能な蝶番を形成する構成としても良い。その他、係る蝶番の構造は、穴に挿入された棒によって、係る棒が回動軸として回動可能な蝶番を形成する構造であれば良く、本発明の技術的思想の範囲内、即ち、同一の作用効果を発揮できる形状及び寸法の範囲内で変更することができるものである。
【０１４６】
また、収納容器部１2に設けられた棒は、係る収納容器部が座屈して折れない為の、座屈防止材としても良く、係る座屈防止材は、係る収納容器部１２を構成する構成シート１０の上下方向に挿通して設けることによって、係る収納容器部１２の座屈を抑止し、係る座屈防止材の数は、１つでも２つでも、あるいは、それ以上設ける構成としても良いし、また、曲折連結部に係る座屈防止材を備える構成としても良く、座屈防止材を備えることによって、係る収納容器部１２に収容物が入っていない状態においても、係る収納容器部１２を座屈せずに自立し易くすることが可能となり、また、係る収納容器部１２の形状を保持可能であり、有用である。
【０１４７】
係る蝶番の回動軸は、係る回動軸を形成する棒が、より長い棒と、係る棒を、保持する係る穴は、より多い箇所あるいは、より長い距離、あるいは、係る穴の一番端と一番端の距離がより長い方が、つまり、穴の一番端と一番端の位置が、係る収納容器部１２のより上部と底部に近い部分である方が、係る回動軸を略鉛直方向に保持し易く、安定し、係る折巻収納ユニット１が転倒し難くなり、有用である。
【０１４８】
尚、係る蝶番を構成する棒と穴の材質は、鉄や、アルミニウムや、真鍮等の金属でも良いし、ポリプロピレンや、ポリアセタールや、ポリアミド等のプラスチックでも、木でも、ガラスでも良く、その他、限定せず、本発明の技術的思想の範囲内、即ち、同一の作用効果を発揮できる形状及び寸法、性質の範囲内で変更することができるものである。
【０１４９】
図１１（ｃ）は、図１１（a）の構成の例における連結係止部１５がDカンの代わりに、略同等の位置に、複数の面ファスナー３２が設けられた構成の例であり、係る複数の面ファスナー３２にて、複数の収納容器部１２を互いに係止して、折巻収納ユニット１を構成するものである。
【０１５０】
係る連結係止部が面ファスナー３２であることによって、着脱がＤカンである構成が、一つ一つのＤカンの連結を外していかなければならないのと比較して、面ファスナー３２の場合は、引っ張るだけで着脱可能であるので、着脱作業が容易で、また、係る面ファスナー３２を上下に長く設けることによって、より、２つの収納容器部１２が一体化して安定する構成となり、有用である。
【０１５１】
図１２の構成の例は、本発明に係る折巻収納ユニット１が、タンス１２０や机１２４や柱の角部１２１を保護するように設けられ、例えば、幼児や小児、老人が、転倒などして、係る角部１２１で頭をぶつけて大怪我するようなことを、防止する構成であり、且つ、省スペースな収納部を設けることも可能であり、有用である。
【０１５２】
図１２（ａ）の構成の例は、係る折巻収納ユニット１が、タンス１２０の角部１２１を保護するように設けられた構成の例の上面図である。
【０１５３】
係るタンス１２０は、壁１２２の角に合わせて据え付けられており、係るタンス１２０の角部１２１から、係るタンス１２０から係る壁１２２にかけて、５つの収納容器部１２が設けられている構成の例である。
係る構成によって、係る折巻収納ユニット１の曲折連結部１３が係るタンス１２０の角部１２１を覆うことによって、係るタンス１２０の角部１２１で頭を打って、怪我をするのを抑止可能な構成であり、有用である。
特に、係る曲折連結部１３が収納容器部１２と一体に設けられていることによって、係る曲折連結部１３が、角部１２１から浮くようにして、あるいは、係る角部１２１を収納容器部１２が挟むようにして、係る角部１２１を保護することによって、係る角部１２１で頭を打つなどの事故を、未然に防止することが可能な構成であり、有用である。
【０１５４】
また、図面には示されていないが、係る折巻収納ユニット１の曲折連結部１３に、スポンジなどの発泡材や、ゴムなどの弾力性のある弾力材、厚めの布、厚紙、鉄やアルミニウムなどの金属あるいはポリプロピレンやポリアミドなどのプラスチックあるいは木等の板材、ジェル材などの保護材を設けるか、または、係る曲折連結部１３自体を、そうした保護材で構成することによって、係る角部１２１への衝撃を軽減する構成としても良く、また、係る保護材は、係る曲折連結部１３の上部だけに設けても良いし、上から下まで、略全面的に設けても良く、形状も板状でも良いし、Ｌ字状でもよく、係る保護材の材質、サイズ、形状は、その他、限定せず、本発明の技術的思想の範囲内、即ち、同一の作用効果を発揮できる形状及び寸法の範囲内で変更することができるものである。
【０１５５】
尚、係る保護材を板材とする際には、係る板材の角を無くすように、角を丸くするか、Ｃ面を設けることによって、安全性を増した構成とすることが望ましい。
また、係る各収納容器部１２は、壁１２２またはタンス１２０に、係止された構成としても良く、係る係止方法は、両面テープでも、面ファスナー３２でも、フックや棒で吊っても、クリップ１０４やクランプでも、良く、また、係る係止部も、収納容器部１２でも良いし、曲折連結部１３でも良い。
【０１５６】
図１２（ｂ）の構成の例は、図１２（ａ）の構成の例におけるタンス１２０の観音開きの片方の戸を開いた構成であり、係る曲折連結部１３が、曲折可能であることによって、観音扉等の戸の開閉に対しても、追従が可能な構成であることを示しており、有用である。
【０１５７】
図１２（ｃ）の構成の例は、図１２（ａ）の構成の例と同等の例の斜視図を示している。
図１２（ｄ）の構成の例は、四角の柱に設けられた折巻収納ユニット１を示しており、係る柱の角部１２１を保護している構成の例を示している。
【０１５８】
図１２（ｅ）の構成の例は、係る折巻収納ユニット１を、机１２４に設け、係る机１２４の角部１２１を保護するようにして、係る折巻収納ユニット１を設けた構成の例である。
係る折巻収納ユニット１は、係る机１２４の二つの角部１２１に、それぞれ、二つの収納容器部１２を備え、係るそれぞれの二つの収納容器部１２の間に設けられた曲折連結部１３が、係る角部１２１を保護している構成の例である。
【０１５９】
係る収納容器部１２は、挟持係止具１２５であるクリップ１０４を備え、係るクリップ１０４によって、係る収納容器部１２の係る机１２４の板に設けられていることによって、係る机１２４の角部１２１で、怪我をするのを抑制している構成の例である。
係る、挟持係止具１２５によって、容易に係る折り巻収納ユニットを机１２４に設けることが可能な構成となっており、有用である。
係るクリップ１０４は、机１２４等の板材を挟持して係る折巻収納ユニット１を、机１２４等の板材に係止する、挟持係止具１２５であり、係る挟持係止具１２５は、その他、クランプでもよい。
【０１６０】
係る挟持係止具１２５の高さを調整可能な構成である、高さ調整具１２８は、図１２（ｆ）の構成の例においては、面ファスナー３２であるが、その他、レールでも良いし、マグネットでも良いし、クリップ１０４で構成シート１０にも挟持する構成、つまり、一方のクリップ１０４で構成シート１０を挟持し、もう一方のクリップ１０４で机１２４を挟持する構成でも良く、その他、限定せず、本発明の技術的思想の範囲内、即ち、同一の作用効果を発揮できる形状及び寸法の範囲内で変更することができるものである。
【０１６１】
尚、図１２（ｅ）において、左側の角部１２１に設けられた折り巻収納ユニット１の二つの収納容器部１２には、それぞれ、係る構成シート１０にファスナー１２６が設けられており、係るファスナー１２６には、それぞれ、７つのファスナー１２６のスライダー１２７が設けられており、上から４つ目と５つ目のスライダー１２７が、互いに離れていることによって、係る二つのファスナー１２６が開口し、係る開口部から収容物Ｓを取り出すことが可能な構成であり、縦長、あるいは底の深い中空収容部１４を備えた収納容器部１２においても、下の方に収納された収容物Ｓを、係る複数の任意のスライダー１２７を開口することによって容易に取り出すことが可能で、有用である。
【０１６２】
図１２（ｆ）の構成の例は、図１２（ｅ）の構成の例の折巻収納ユニット１の構成の例を、背面側から見た図であり、係る折巻収納ユニット１の背面側に設けられた挟持係止具１２５であるクリップ１０４によって、係る折巻収納ユニット１を、机１２４に係止可能とする構成の例である。
【０１６３】
また、本構成の例においては、係る挟持係止具１２５であるクリップ１０４が、面ファスナー３２に設けられた構成の例であり、係る面ファスナー３２が設けられた範囲で、係る挟持係止具１２５を自由に移動可能な構成であり、机１２４の高さによって係る挟持係止具１２５の位置を調整可能とした構成の例となり、有用である。
【０１６４】
尚、図１２（ｆ）において、市松模様にて示された部分が、係る高さ調整具１２８である面ファスナー３２を示している。
【０１６５】
図１２（ｇ）の構成の例は、図１２（ｆ）の構成の例の二つの収納容器部１２が、一つの構成の例であり、係る構成においては、係る挟持係止具１２５である一つのクリップ１０４を、係る机１２４の角部１２１に直接挟持して、係る収納容器部１２自体で、係る角部１２１を保護する収納容器部１２の構成の例である。
係る構成においては、係る角部１２１を収納容器部１２で直接覆っている為、より、厚く係る角部１２１を覆うことが可能であるという点で有用である。
【０１６６】
ただ、その一方で、係る角部１２１という、該角部１２１だけでも出っ張りが大きく、ぶつかり易い部分に直接係る収納容器部１２を備えることによって、更に係る収納容器部１２が出っ張ることとなり、歩行等の邪魔になり易く、出っ張り量が大きい分、歩行によって、すぐぶつかって外れてしまうという課題もある構成でもある。
【０１６７】
尚、一連の本図の実施例において、構成シート１０は、可とう性を有したシート状で、テント生地やメッシュ生地等の布状部材、網状部材、他各種繊維素材、各種ゴムや各種樹脂シート製、綿、麻等の天然素材、紙製、金属メッシュ等の金属、ガラス繊維、また、色も透明、蛍光、光っても良く、その他、必要に応じた強度、機能を有し、本発明と同一の作用効果を発揮できる範囲内でその素材を限定しない。
【０１６８】
また、係る収納容器部１２が、可撓性を備えた構成シート１０で構成されていることによって、自動車等の物や、人が衝突しても、損傷を抑制でき、安全であるので、駐車場や保育園や老人ホームやスポーツ競技場などでも安全で有用であり、ショッピングセンターなど、不特定多数の人が行き交う場所においても、無用な怪我等を防ぐことが可能となり有用であり、また、ファスナー１２６等の連結係止部１５を、より、自由度高く設けることが可能であるので、設置する条件に応じて、オーダーメードで、係る折巻収納ユニット１を製作することが可能となり、有用である。
【０１６９】
また、構成シート１０の形状も、多角形、丸、楕円、その他異形でも、長さ、大きさ違いの組み合わせ違いでもよく、その形状を限定せず、また、厚さも、本発明と同一の作用効果を発揮できる範囲内で限定しない。
【０１７０】
また、シート係止部２０は、図面に表記していないものも、必要に応じて、必要な個所に設ける構成が可能であり、また、それぞれのシート係止部２０の係止方法は、接着、融着、縫製、結束、ピン止め、ボタン止め、面ファスナー３２止め、磁石、ステープラー等、本発明と同一の作用効果を発揮できる範囲内でその係止手段を限定しない。
【０１７１】
また、シート係止部２０は、着脱可能に係止してもよく、着脱可能な係止手段は、ホック３１、ボタン、面ファスナー３２、フック、磁石、紐、ファスナー１２６等、本発明と同一の作用効果を発揮できる範囲内でその係止手段を限定しない。着脱可能な構成とすることにより、必要に応じて構成シート１０のサイズや材質を選択可能となり、有用である。
【０１７２】
また、本発明の中で、自立可能に設けられた例の折巻収納ユニット１については、係る折巻収納ユニット１を構成するそれぞれの収納容器部１２の、太さや厚さが、高さに比べて細かったり、薄かったり、重心が高かったりする形状的な要素によって、自立が困難であったり、自立は可能であっても、倒れる可能性があったりする構成の収納容器部１２を、より安全に、安定的に自立可能とするものであり、有用である。
【産業上の利用可能性】
【０１７３】
本願発明は、植物の装飾を自在に出来ることから、各種イベントの装飾をはじめ家庭用ガーデニング用品としても魅力的な発明品であり、産業上利用可能性は極めて高いと思慮されるものである。
【符号の説明】
【０１７４】
１    折巻収納ユニット・植栽ユニット
１０  構成シート
１１  収納開口
１２   収納容器部
１３    曲折連結部
１４  中空収容部
１５   連結係止部
１６  支柱
１７  水抜き穴
１８  手すり
１９  柵
２０  シート係止部
２１    曲折保持係止部
２２  保持材係止部
２７    曲折吊設部
３０  対向保持部
３１   ホック
３２    面ファスナー
３４  培養基材
３５  水受け部
３６  根
６０   可撓橋架材
７０    台車
８０    側面開口
１００   配置保持材
１０１  配置材保持部
１０２  支持材
１０３  距離保持材
１０４  クリップ
１０５  長さ保持ネジ
１２０  タンス
１２１  角部
１２２  壁
１２４  机
１２５    挟持係止具
１２６  ファスナー
１２７  スライダー
１２８  高さ調整具
Ｓ     収容物、植物
【要約】
【課題】より自由度が高く設置可能で、あるいは、より安全で、あるいはスペースを取らない収納ユニットあるいは植栽ユニットを提供する。
【解決手段】可とう性を有する略シート状の素材から成る１以上の構成シート（１０）によって構成される収納ユニットであって、中空の中空領域である中空収容部（１４）は、収納開口（１１）を備え、前記収納容器部（１２）は、２以上の前記中空収容部（１４）が、曲折または回動可能な曲折連結部（１３）を介して、横方向、つまり略水平方向に、一体に、設けられているか、または、２つ以上の前記中空収容部（１４）が、着脱可能な曲折連結部（１３）を介して連なることが可能であり、 前記曲折連結部（１３）は、収容物が収容された状態でも曲折または回動可能であることを可能とした。
【選択図】図１【図１】
0006697627.tif 000002
【図２】
0006697627.tif 000003
【図３】
0006697627.tif 000004
【図４】
0006697627.tif 000005
【図５】
0006697627.tif 000006
【図６】
0006697627.tif 000007
【図７】
0006697627.tif 000008
【図８】
0006697627.tif 000009
【図９】
0006697627.tif 000010
【図１０】
0006697627.tif 000011
【図１１】
0006697627.tif 000012
【図１２】
0006697627.tif 000013